(57)【要約】【課題】容易に連結するとこができると共に、伸縮による損傷を防止することのできるエキスパンションジョイントカバーの提供。【解決手段】伸縮可能な複数枚のカバー本体４を設ける。カバー本体４の継目を跨ぐように連結材を重ねる。カバー本体４及び連結材に形成したボタン孔にプッシュボタン６を挿入する。連結材を介して両側のカバー本体４を連結する。複数枚のカバー本体４が伸縮方向と交差する方向に連結される。プッシュボタン６で留められている部位を除いて、カバー本体４と連結材とのずれが許容される。連結部分への力の集中が防止される。【選択図】  図１
2019194395.tif 000002
【特許請求の範囲】
【請求項１】
建築物のエキスパンションジョイント部のクリアランスを覆いつつ、該クリアランスの大きさの変化に追随して伸縮するエキスパンションジョイントカバーであって、
伸縮可能な複数枚のカバー本体を伸縮方向と交差する方向に連結してなり、
前記カバー本体の継目を跨ぐように連結材を重ねられると共に、カバー本体及び連結材に形成されたボタン孔にプッシュボタンを挿入され、前記連結材を介して両側のカバー本体が連結されたことを特徴とするエキスパンションジョイントカバー。
【請求項２】
建築物のエキスパンションジョイント部のクリアランスを覆いつつ、該クリアランスの大きさの変化に追随して伸縮するエキスパンションジョイントカバーであって、
伸縮可能な複数枚のカバー本体を伸縮方向と交差する方向に連結してなり、
前記カバー本体の継目を跨ぐように連結材を重ねられると共に、カバー本体及び連結材にピンを突き通され、前記連結材を介して両側のカバー本体が連結されたことを特徴とするエキスパンションジョイントカバー。
【請求項３】
前記カバー本体及び連結材は、蛇腹状に形成されたことを特徴とする請求項１又は２に記載のエキスパンションジョイントカバー。
【請求項４】
伸縮方向における両端部をフレームに取り付けられ、該フレームが前記クリアランスを挟んで互いに対向する両側部位に支持されたことを特徴とする請求項１、２又は３に記載のエキスパンションジョイントカバー。
【発明の詳細な説明】
【技術分野】
【０００１】
本発明は、建築物のエキスパンションジョイント部のクリアランスを覆いつつ、該クリアランスの大きさの変化に追随して伸縮するエキスパンションジョイントカバーに関するものである。
【背景技術】
【０００２】
一般に、複雑な構造の建築物などでは、建築物自体を複数のブロックに分割すると共に、これらをエキスパンションジョイントによって接続して、地震や気温の変化、不同沈下などの影響を吸収することが多い。
【０００３】
エキスパンションジョイントは、建築物のブロック同士をその相対変位に追従可能に接続する接続手法であり、建築物のブロック間に、相対変位を吸収可能な大きさのクリアランスを形成してエキスパンションジョイント部とすると共に、壁面などに露出するクリアランスをその両側部位の相対変位に追従可能なエキスパンションジョイントカバーで覆うようにしている。
【０００４】
エキスパンションジョイントカバーは、壁面などに露出するクリアランスの長さに合うよう、伸縮方向と交差する方向に連結して所望の長さに設定されることが多い（例えば、特許文献１）。
【０００５】
図６に示すように、特許文献１のエキスパンションジョイントカバーは、エキスパンション材１０１の連結部分に同種素材のシート１０２を重ね、これらをプライマー及び接着剤を用いて接着することにより、シート１０２を介して、エキスパンション材１０１を連結したものである。
【先行技術文献】
【特許文献】
【０００６】
【特許文献１】特開２００７−９４４９（段落００１５、図５）
【発明の概要】
【発明が解決しようとする課題】
【０００７】
ところが、特許文献１のエキスパンションジョイントカバーは、連結部分にシート１０２を重ねて接着した構造であるので、その連結部分がシート１０２の全体と強固に一体化される。シート１０２の全体と一体化されることにより、連結部分の剛性が大きくなりやすく、エキスパンションジョイントカバーが伸縮する際、連結部分に力が集中して、シート１０２の剥がれなどの損傷や、全体のゆがみを生じるおそれがある。
【０００８】
これに対し、特許文献１のエキスパンションジョイントカバーでは、エキスパンション材１０１の貫通孔１０３に芯材１０４を挿着して連結部分を補強しており、その分、エキスパンションジョイントカバーの構造が複雑になると共に、その連結に要する工数が多くなりやすい。
【０００９】
本発明は、容易に連結するとこができると共に、伸縮による損傷を防止することのできるエキスパンションジョイントカバーの提供を目的とする。
【課題を解決するための手段】
【００１０】
上記目的を達成するために、本発明に係るエキスパンションジョイントカバーは、建築物のエキスパンションジョイント部のクリアランスを覆いつつ、このクリアランスの大きさの変化に追随して伸縮するものであり、伸縮可能な複数枚のカバー本体を伸縮方向と交差する方向に連結してなり、カバー本体の継目を跨ぐように連結材を重ねると共に、カバー本体及び連結材に形成したボタン孔にプッシュボタンを挿入し、連結材を介して両側のカバー本体を連結したものである。
【００１１】
上記構成によれば、カバー本体の継目を跨ぐように連結材を重ねて、それらのボタン孔にプッシュボタンを挿入するだけでカバー本体を連結することができるので、カバー本体に連結材を接着する構造と比較して、その連結に要する工数を少なくすることができる。つまり、接着による連結では、プライマーの塗布及び乾燥の後に接着剤を塗布し、この接着剤が固化するまで、専用の治具を用いて連結材を重ねた状態を維持する必要があるが、このような煩雑な工程を本発明の構成によって省略することができる。
【００１２】
さらに、エキスパンションジョイントカバーが伸縮する際に、プッシュボタンで留められている部位を除いて、カバー本体と連結材とのずれを許容できるので、接着構造と比較して、連結部分の剛性を小さくし、連結部分への力の集中を防止することができる。これにより、伸縮による損傷やゆがみを防止することができ、しかも、芯材などを用いて連結部分を補強する必要がない分、エキスパンションジョイントカバーの構造を簡単にすることができると共に、その連結に要する工数をより少なくすることができる。
【００１３】
また、カバー本体及び連結材にボタン孔を形成してプッシュボタンを挿入する代わりに、孔のないカバー本体及び連結材にピンを突き通すようにしてもよく、これにより、プッシュボタンを用いた上記の構成を採用することによる効果と同様の効果を奏することができる。
【００１４】
すなわち、本発明は、建築物のエキスパンションジョイント部のクリアランスを覆いつつ、該クリアランスの大きさの変化に追随して伸縮するエキスパンションジョイントカバーであって、伸縮可能な複数枚のカバー本体を伸縮方向と交差する方向に連結してなり、前記カバー本体の継目を跨ぐように連結材を重ねられると共に、カバー本体及び連結材にピンを突き通され、前記連結材を介して両側のカバー本体が連結されたことを特徴とするエキスパンションジョイントカバーを提供する。
【００１５】
また、カバー本体及び連結材を蛇腹状に形成するようにしてもよい。
【００１６】
この構成によると、カバー本体及び連結材が伸縮する際、その蛇腹形状の山部及び谷部に歪が集中しやすいが、プッシュボタンを用いた連結構造を採用しているので、カバー本体と連結材とのずれを許容して、山部及び谷部における歪を吸収することができる。つまり、蛇腹状のカバー本体及び連結材を接着すると、山部及び谷部が一体的に歪んで、その接着が剥がれるなどの損傷を生じやすいが、適宜、山部及び谷部から外れた部位をプッシュボタンで連結することにより、山部及び谷部における歪を緩和することができる。
【００１７】
また、伸縮方向における両端部をフレームに取り付け、このフレームを、クリアランスを挟んで互いに対向する両側部位で支持するようにしてもよい。
【００１８】
この構成によると、例えば、エキスパンションジョイントカバーを、その両端部をフレームに仮止めして、クリアランスの大きさに合うよう伸縮させることができ、その際、プッシュボタンを用いてカバー本体の連結部分の剛性を小さくしているので、伸縮に伴う強い力が仮止め部分に作用して、エキスパンションジョイントカバーがフレームから外れるのを防止することができる。
【発明の効果】
【００１９】
以上のとおり、本発明によると、伸縮可能なカバー本体の継目を跨ぐように連結材を重ねて、カバー本体及び連結材に形成したボタン孔にプッシュボタンを挿入することにより、連結材を介して両側のカバー本体を連結するようにしている。これにより、複数枚のカバー本体を伸縮方向と交差する方向に容易に連結することができると共に、伸縮による損傷を防止することができる。
【図面の簡単な説明】
【００２０】
【図１】本発明に係るエキスパンションジョイントカバーを有するエキスパンションジョイントの斜視図
【図２】エキスパンションジョイントカバーの断面図
【図３】エキスパンションジョイントカバーの正面図
【図４】エキスパンションジョイントカバーの背面図
【図５】プッシュボタンの斜視図
【図６】エキスパンションジョイントカバーの別の形態を示す要部断面図
【図７】（ａ）は従来のエキスパンションジョイントカバーの斜視図で、（ｂ）は連結部分の補強構造を示す図
【発明を実施するための形態】
【００２１】
以下、本発明に係るエキスパンションジョイントカバーを実施するための形態について、図面を用いて説明する。
【００２２】
図１〜図４に示すように、エキスパンションジョイントカバー１は、建築物のエキスパンションジョイント部２のクリアランス３を覆いつつ、クリアランス３の大きさの変化に追随して伸縮するものであり、複数枚のカバー本体４の継目を跨ぐように、背面側に連結材５を重ねると共に、カバー本体４及び連結材５に形成されたボタン孔にプッシュボタン６を挿入することにより、連結材５を介して継目の両側のカバー本体４を連結して、複数枚のカバー本体４を伸縮方向と交差する上下方向に連結したものである。  
【００２３】
このエキスパンションジョイントカバー１は、伸縮方向における両端部７をフレーム８に取り付けられ、フレーム８がクリアランス３を挟んで互いに対向する両側部位９、１０に支持される。
【００２４】
カバー本体４は、伸縮可能なよう正面側に突出する山部１１と背面側に突出する谷部１２とを有する蛇腹状の合成樹脂板とされ、両端の山部１１から両端部７が左右に広がり、この両端部７に、背面側に突出してフレーム８に仮止めされる突起部１３が形成されている。
【００２５】
連結材５は、カバー本体４と同一素材で、カバー本体４の背面側に重なるよう山部１４及び谷部１５を有する蛇腹状の合成樹脂板とされ、カバー本体４よりも上下方向で幅狭に形成されている。
【００２６】
図１〜図４に示すように、カバー本体４及び連結材５には、左右端及び中央の谷部１２を挟んで対をなし、かつ継目を挟んで対をなすよう、１か所に４つのボタン孔が３か所に形成され、各ボタン孔にプッシュボタン６を挿入されて、連結材５を介して継目の両側のカバー本体４が連結される。
【００２７】
図５に示すように、プッシュボタン６は、頭部１６から突出する軸部１７の先端に抜け止め１８を挿入する抜け止め孔１９を形成した構造とされ、カバー本体４の正面側から各ボタン孔に軸部１７を挿入されて、連結材５の背面側において、抜け止め孔１９に抜け止め１８を挿入されて固定される。
【００２８】
図１に示すように、フレーム８は、カバー本体４の突起部１３を挿入して仮止めする挿入溝２０を有する例えばアルミニウム製のフレーム本体２１と、フレーム本体２１との間にカバー本体４の両端部７を挟持する例えばアルミニウム製の押え材２２とからなり、両側部位９、１０に固定されて、エキスパンションジョイントカバー１を支持する。
【００２９】
上記構成によれば、カバー本体４及び連結材５のボタン孔にプッシュボタン６を装着するだけでカバー本体４を連結することができ、しかも、プッシュボタン６で離散的に接続するので、伸縮の際に、カバー本体と連結材とのずれを許容でき、連結部分の剛性を小さくし、連結部分への力の集中を防止することができる。
【００３０】
また、連結部分の剛性が小さい分、カバー本体４の突起部１３を挿入溝２０に挿入してフレーム本体２１に仮止めし、クリアランス３の大きさに合うよう伸縮させた後、押え材２２で固定するまでの間、伸縮に伴う強い力が作用することがなく、仮止めが外れるのを防止することができる。
【００３１】
なお、本発明は、上記の実施の形態に限定されるものではなく、本発明の範囲内において、適宜変更を加えることができる。例えば、図６に示すように、カバー本体４及び連結材５にボタン孔を形成してプッシュボタン６を挿入する代わりに、孔のないカバー本体４及び連結材５にピン２３を突き通すようにしてもよい。
【００３２】
具体的には、まず、孔のないカバー本体４及び連結材５の所定の位置に、先の尖ったピン２３を突き通し、カバー本体４及び連結材５の反対側に配置した例えばスプリングワッシャー２４にピン先２５を通して、このピン先２５を折り曲げて固定すればよい。
【００３３】
また、エキスパンションジョイントカバー１の両端部７をフレーム８に取り付けることなく、クリアランス３を挟んで互いに対向する両側部位９、１０で支持するようにしてもよい。また、カバー本体４及び連結材５は、伸縮可能なものであればよく、必ずしも蛇腹状に形成する必要はない。
【符号の説明】
【００３４】
１      エキスパンションジョイントカバー
２      エキスパンションジョイント部
３      クリアランス
４      カバー本体
５      連結材
６      プッシュボタン
７      両端部
８      フレーム
９、１０  両側部位
１１    山部
１２    谷部
１３    突起部
１４    山部
１５    谷部
１６    頭部
１７    軸部
１８    抜け止め
１９    抜け止め孔
２０    挿入溝
２１    フレーム本体
２２    押え材
２３    ピン
２４    スプリングワッシャー
２５    ピン先
【図１】
2019194395.tif 000003
【図２】
2019194395.tif 000004
【図３】
2019194395.tif 000005
【図４】
2019194395.tif 000006
【図５】
2019194395.tif 000007
【図６】
2019194395.tif 000008
【図７】
2019194395.tif 000009